(57)【特許請求の範囲】
【請求項１】
上枠に取付ける上外れ防止具と、下枠に取付ける下外れ防止具とを備え、上外れ防止具は、上枠の室外側端部に設けた垂下片の室外側面に当接し且つ垂下片よりも下方に突出した外れ防止片を有し、下外れ防止具は、下枠の室外側端部に設けた起立片の室外側面に当接し且つ起立片よりも上方に突出した外れ防止片を有し、下外れ防止具の外れ防止片は、その上部が起立片の上縁付近に達するまで上下方向にスライドして下方に下げられるようにしたことを特徴とする雨戸パネルの外れ防止具。
【請求項２】
枠と、枠に取付けた雨戸パネルと、下枠に取付けた下外れ防止具を備え、下外れ防止具は、下枠の室外側端部に設けた起立片の室外側面に当接し且つ起立片よりも上方に突出した外れ防止片を有し、起立片は、雨戸パネルと対向しており、外れ防止片は、その上部が起立片の上縁付近に達するまで上下方向にスライドして下方に下げられるようにしたことを特徴とする雨戸付サッシ。
【発明の詳細な説明】
【技術分野】
【０００１】
本発明は、強風時に雨戸パネルが枠から外れるのを防止する雨戸パネルの外れ防止具と、これを備えた雨戸付サッシに関する。
【背景技術】
【０００２】
台風等で強風が発生すると、その風圧で雨戸パネルが枠から外れて飛ばされてしまうことがある。従来の雨戸パネルの外れ防止具としては、特許文献１，２に記載されているような、上枠と下枠間に架け渡す柱状のものがあった。この外れ防止具は、雨戸パネルの反りと枠が上下に広がるのを防止して、雨戸パネルが枠から外れるのを防止するものであった。
【特許文献１】特開平９−２０３２８０号公報
【特許文献２】特開２００６−１９４０６３号公報
【発明の開示】
【発明が解決しようとする課題】
【０００３】
上述の従来の雨戸パネルの外れ防止具は、枠に付けたままにしておくと非常に目障りなため、強風が発生するたびに付けたり外したりしなければならず、面倒であった。本発明は以上に述べた実情に鑑み、枠に付けたままにしておける雨戸パネルの外れ防止具及び雨戸付サッシの提供を目的とする。
【課題を解決するための手段】
【０００４】
上記の課題を達成するために請求項１記載の発明による雨戸パネルの外れ防止具は、上枠に取付ける上外れ防止具と、下枠に取付ける下外れ防止具とを備え、上外れ防止具は、上枠の室外側端部に設けた垂下片の室外側面に当接し且つ垂下片よりも下方に突出した外れ防止片を有し、下外れ防止具は、下枠の室外側端部に設けた起立片の室外側面に当接し且つ起立片よりも上方に突出した外れ防止片を有し、下外れ防止具の外れ防止片は、その上部が起立片の上縁付近に達するまで上下方向にスライドして下方に下げられるようにしたことを特徴とする。
【０００５】
請求項２記載の発明による雨戸付サッシは、枠と、枠に取付けた雨戸パネルと、下枠に取付けた下外れ防止具を備え、下外れ防止具は、下枠の室外側端部に設けた起立片の室外側面に当接し且つ起立片よりも上方に突出した外れ防止片を有し、起立片は、雨戸パネルと対向しており、外れ防止片は、その上部が起立片の上縁付近に達するまで上下方向にスライドして下方に下げられるようにしたことを特徴とする。
【発明の効果】
【０００６】
請求項１記載の発明による雨戸パネルの外れ防止具は、上枠に取付ける上外れ防止具と、下枠に取付ける下外れ防止具とで構成したので、常時枠に付けておいてもさほど目障りでなく、しかも上外れ防止具の外れ防止片が上枠の室外側端部に設けた垂下片の室外側面に当接し且つ垂下片よりも下方に突出し、下外れ防止具の外れ防止片が下枠の室外側端部に設けた起立片の室外側面に当接し且つ起立片よりも上方に突出しているので、上下の外れ防止片により雨戸パネルが外れるのを確実に防止できる。下外れ防止具の外れ防止片は、その上部が起立片の上縁付近に達するまで上下方向にスライドして下方に下げることができ、これにより外れ防止片をより一層目立たなくすることができ、またテラス窓のように出入口となる窓に用いた場合、当該外れ防止片が出入りの妨げにならない。
【０００７】
請求項２記載の発明による雨戸付サッシは、下枠に下外れ防止具が取付けてあり、下外れ防止具は下枠の室外側端部に設けた起立片の室外側面に当接し且つ起立片よりも上方に突出する外れ防止片を有し、起立片は雨戸パネルと対向しているので、雨戸パネルの下部が下枠から外れるのを起立片と外れ防止片とで防止できる。外れ防止片は、その上部が起立片の上縁付近に達するまで上下方向にスライドして下方に下げることができ、これにより外れ防止片をより一層目立たなくすることができ、またテラス窓のように出入口となる窓に用いた場合、当該外れ防止片が出入りの妨げにならない。
【発明を実施するための最良の形態】
【０００８】
以下、本発明の実施の形態を図面に基づいて説明する。図３は、本発明の雨戸付サッシの一実施形態を示す室外側正面図であり、図１は図３のＡ−Ａ断面図、図２は図３のＢ−Ｂ断面図である。本雨戸付サッシは、いわゆるテラス窓として用いられるものであり、躯体開口部に取付けたサッシ枠１と、サッシ枠１内に引き違い式に開閉自在に設けた外障子１５ａ及び内障子１５ｂと、網戸１６と、二枚の雨戸パネル１４，１４と、雨戸パネル１４，１４を収納する戸袋１７とを備えている。サッシ枠１は、上枠２と下枠３と左右の竪枠１８，１８とを枠組みして構成され、上枠２と下枠３の長手方向の中央部に、台風等の強風時に雨戸パネル１４がサッシ枠１から外れるのを防止するための上外れ防止具４と下外れ防止具９が、上枠２と下枠３の室外側に長手方向にそれぞれ取付けてある。上外れ防止具４と下外れ防止具９は、図３に示すように、雨戸パネル１４の横幅の半分よりやや短い長さとなっており、二枚の雨戸パネル１４，１４に跨るように設置してある。図３中の符号１９は、閉めた雨戸パネル１４が開くのを防止する施錠具である。戸袋１７は、室外側から見てサッシ枠１の左側に連続して設けてある。
【０００９】
サッシ枠１は、図１に示すように、雨戸枠を一体に形成したものであって、上枠２と下枠３の室外側に雨戸パネル１４の上下端部が嵌め込まれる凹部２０ａ，２０ｂが形成されている。下枠３の凹部２０ｂの底面には、レール２１が形成してある。雨戸パネル１４の下部にはレール２１上を転動する戸車２２が設けられ、雨戸パネル１４がスムーズにスライド可能になっている。
【００１０】
上外れ防止具４は、図４，５に示すように、上枠２の室外側端部に設けた垂下片２３の室外側面に当接し且つ垂下片２３よりも下方に突出した外れ防止片５と、外れ防止片５の上部より室内側に向けて突出した横壁７とが、アルミ合金の押出形材で一体に形成してある。外れ防止片５は、中空状に形成してあり、下端部に室外側と室内側に膨らんだ膨出部２４を有している。外れ防止片５の左右両端部には樹脂製のキャップ２８を取付け、中空部を塞いである。外れ防止片５の室内側面には鉤状の係止部６が設けてあり、この係止部６を上枠２の垂下片２３の下縁部に係止し、横壁７を上枠２の上面２ａにネジ８で固定することにより、上外れ防止具４を上枠２に取付けている。外れ防止片５は、垂下片２３の下縁より約１５ｍｍ下方に突出している。
【００１１】
上外れ防止具４の取付け方は、まず図６（ａ）に示すように、外れ防止片５の室内側に設けた係止部６を上枠２の垂下片２３の下縁部に引っ掛けて室内側に回動させ、図６（ｂ）と図７に示すように、横壁７を上枠２の上面２ａに当接させて下孔２５を貫通して開けた後、ネジ８（タッピンネジ）を横壁７と上枠上面２ａに貫通してねじ込んで固定する。
【００１２】
下外れ防止具９は、図４，５に示すように、下枠３の室外側端部に設けた起立片２６の室外側面に当接し且つ起立片２６よりも上方に突出した外れ防止片１０と、下枠３の下面に形成された溝１２に係合させて左右方向に間隔をおいて設置した複数のネジ受け部材１１とで構成してある。外れ防止片１０は、アルミ合金の押出形材で中空状に形成してあり、上端部に室外側と室内側とに膨らんだ膨出部２７を有している。外れ防止片１０の左右両端部には樹脂製のキャップ２８を取付け、中空部を塞いである。外れ防止片１０の室内側の壁１０ａには、取付け用のネジ１３の挿通孔２９が上下方向の長孔状に形成してあり、そのため外れ防止片１０は取付高さを上下に調整できるようになっている。なお、図１，４，５は、強風対策のために外れ防止片１０を最も上に上げて固定した状態を示しており、このとき外れ防止片１０は起立片２６の上縁より約１５ｍｍ上方に突出している。外れ防止片１０の室外側の壁１０ｂには、ネジ１３の頭とネジの挿通孔２９を隠す蓋３０を取付けてある。
ネジ受け部材１１は、上向きに開口した略コ字状断面に形成され、室外側と室内側の壁に形成した係止部３１ａ，３１ｂを下枠３下面の溝１２に係止して、下枠３の長手方向にスライド自在に取付けてある。室外側の壁には雌ネジ孔３２が形成してある。またネジ受け部材１１の下部には、室外側に突出する突片３３を有し、突片３３の先端部が外れ防止片１０の室内側面の下部に当接している。
【００１３】
下外れ防止具９の取付け方は、ネジ受け部材１１を下枠３の長手方向端部より溝１２に挿入して所定の位置に移動させた後、外れ防止片１０を下枠３の起立片２６に当接させて室外側からネジ１３を挿通孔２９に挿入し、ネジ１３をネジ受け部材１１の雌ネジ孔３２にねじ込んで締め付けると、外れ防止片１０とネジ受け部材１１とで下枠３の室外側下部３ａを挟む形で固定される。
【００１４】
以上に述べたように本雨戸付サッシは、雨戸パネル１４の外れ防止具を上枠２の長手方向に取付ける上外れ防止具４と下枠３の長手方向に取付ける下外れ防止具９とで構成したので、従来の上下枠間に架設する柱状のものと比べて外れ防止具４，９が目障りでなく、外れ防止具４，９を常時サッシ枠１に取付けておくことができ、強風の度に外れ防止具４，９を付けたり外したりする手間が要らない。しかも、上外れ防止具４の外れ防止片５が上枠２の垂下片２３より下方に突出し、下外れ防止具９の外れ防止片１０が下枠３の起立片２６よりも上方に突出しているので、この上下の外れ防止片５，１０により雨戸パネル１４が室外側から支えられるため、強風時に雨戸パネル１４がサッシ枠１から外れるのを確実に防止できる。
上外れ防止具４は、外れ防止片５の室内側面に設けた係止部６が上枠２の垂下片２３の下縁部に係止していることで、強風時に外れ防止片５の下部が雨戸パネル１４により室外側に押されても外れ防止片５が外向きに回転することがなく、雨戸パネル１４上部の外れ防止を一層確実なものとしている。また上外れ防止具４は、横壁７を上枠２の上面２ａにネジ止めしたので、ネジ８が正面に露出せず意匠性が良い。
下外れ防止具９は、ネジ受け部材１１に室外側に突出する突片３３を有し、突片３３の先端部が外れ防止片１０の室内側面の下部に当接しているので、強風時に外れ防止片１０の上部が雨戸パネル１４により室外側に押されても外れ防止片１０が外向きに回転することがなく、雨戸パネル１４下部の外れ防止を一層確実なものとしている。
さらに、上外れ防止具４と下外れ防止具９の外れ防止片５，１０を中空状に形成したことで、外れ防止片５，１０を強風時に雨戸パネル１４により室外側に押されても曲がらない剛性の高いものとすることができ、しかも外れ防止片５，１０を軽量化できる。
【００１５】
下外れ防止具９は、ネジ１３を緩めることで図８（ａ）に示すように、外れ防止片１０を膨出部２７が下枠３の起立片２６の上縁に係止する高さまで下方に下げることができる。強風時以外はこのように外れ防止片１０を下げておくことで、外れ防止片１０をより一層目立たなくすることができ、また外れ防止片１０が人の出入りの妨げにならない。また外れ防止片１０を下に下げると、図８（ｂ）に示すように、外れ防止具４，９を上枠２と下枠３に付けたままの状態で雨戸パネル１４を外すことも可能となる。また下外れ防止具９は、ネジ１３を緩めることで、下枠３の長手方向に移動させることもできる。
【００１６】
図９は、雨戸パネル１４が三枚ある場合の実施形態を示している。この場合には、２つの上外れ防止具４，４を左から一枚目と二枚目の雨戸パネル１４，１４、二枚目と三枚目の雨戸パネル１４，１４に跨るように上枠２に間隔をおいて取付け、同じように２つの下外れ防止具９，９を左から一枚目と二枚目の雨戸パネル１４，１４、二枚目と三枚目の雨戸パネル１４，１４に跨るように下枠３に間隔をおいて取付けている。
【００１７】
本発明は以上に述べた実施形態に限定されない。上外れ防止具４は、横壁７を有さず、外れ防止片５を室外側からネジで上枠２の垂下片２３に固定するものであってもよい。上外れ防止具４及び下外れ防止具９の外れ防止片５，１０は、上下端部に膨出部２４，２７を有しないもの、中空でない板状のものであってもよい。また上外れ防止具４と下外れ防止具９は、上枠２と下枠３の長手方向に取付ける横に長い棒状のものに限らず、例えば数センチ程度の短いものとし、これを上枠２と下枠３の長手方向の適当な位置に間隔をおいて取付けてもよい。下外れ防止具９は、外れ防止片１０の上縁が下枠３の起立片２６の上縁と同じ高さ又はそれより低い位置となるまで外れ防止片１０を下げられるようにすることもできる。また下外れ防止具９は、外れ防止片１０が下枠３の起立片２６より突出した状態で固定的に取付けられ、外れ防止片１０を下げられないものであってもよい。枠は、雨戸枠がサッシ枠と別体に形成されたものであってもよい。
【図面の簡単な説明】
【００１８】
【図１】図３のＡ−Ａ断面図である。
【図２】図３のＢ−Ｂ断面図である。
【図３】本発明の雨戸付サッシの一実施形態を示す室外側正面図である。
【図４】上外れ防止具と下外れ防止具を拡大して示す室外側正面図である。
【図５】図４のＣ−Ｃ断面図である。
【図６】上外れ防止具の上枠への取付け手順を示す縦断面図である。
【図７】上外れ防止具の上枠への取付け方を示す斜視図である。
【図８】（ａ）は下外れ防止具の外れ防止片を下方に下げた状態を示す縦断面図であり、（ｂ）は下外れ防止具の外れ防止片を下方に下げ、雨戸パネルを枠から外すときの状態を示す縦断面図である。
【図９】本発明の雨戸付サッシの他の実施形態を示す縦断面図である。
【符号の説明】
【００１９】
１  サッシ枠（枠）
２  上枠
３  下枠
４  上外れ防止具
５  外れ防止片
６  係止部
７  横壁
８  ネジ
９  下外れ防止具
１０  外れ防止片
１１  ネジ受け部材
１２  下枠下面の溝
１３  ネジ
１４  雨戸パネル
２３  上枠の垂下片
２６  下枠の起立片
【図１】
0005627052.tif 000002
【図２】
0005627052.tif 000003
【図３】
0005627052.tif 000004
【図４】
0005627052.tif 000005
【図５】
0005627052.tif 000006
【図６】
0005627052.tif 000007
【図７】
0005627052.tif 000008
【図８】
0005627052.tif 000009
【図９】
0005627052.tif 000010